(57)【要約】【課題】発電性能を高めることを可能にした電極触媒層、膜電極接合体、および、固体高分子形燃料電池を提供する。【解決手段】固体高分子形燃料電池において固体高分子電解質膜に接合する電極触媒層１２である。触媒物質２１と、触媒物質２１を担持する導電性担体２２と、高分子電解質２３と、繊維状物質２４とを含む。高分子電解質２３は、フッ素系高分子電解質である。電極触媒層１２に含まれる空隙のなかで、３ｎｍ以上５．５μｍ以下の直径を有する空隙が細孔である。水銀圧入法によって測定された細孔容積から算出された細孔の直径が細孔直径である。細孔直径に対する細孔容積の分布を示す分布曲線のピークが、細孔直径が０．０６μｍ以上０．１μｍ以下である範囲に含まれる。【選択図】図２
2019186191.tif 000002
【特許請求の範囲】
【請求項１】
固体高分子形燃料電池において固体高分子電解質膜に接合する電極触媒層であって、
触媒物質と、
前記触媒物質を担持する導電性担体と、
高分子電解質と、
繊維状物質と、を含み、
前記高分子電解質は、フッ素系高分子電解質であり、
前記電極触媒層に含まれる空隙のなかで、３ｎｍ以上５．５μｍ以下の直径を有する空隙を細孔とするとき、
水銀圧入法によって測定された細孔容積から算出された前記細孔の直径が、細孔直径であり、
全ての前記細孔の前記細孔容積を積算した値が、第１積算容積であり、
前記細孔直径が５０ｎｍ以下である前記細孔の前記細孔容積を積算した値が、第２積算容積であり、
前記第１積算容積に対する前記第２積算容積の百分率が、３０％以上４０％以下である
電極触媒層。
【請求項２】
固体高分子形燃料電池において固体高分子電解質膜に接合する電極触媒層であって、
触媒物質と、
前記触媒物質を担持する導電性担体と、
高分子電解質と、
繊維状物質と、を含み、
前記高分子電解質は、フッ素系高分子電解質であり、
前記電極触媒層に含まれる空隙のなかで、３ｎｍ以上５．５μｍ以下の直径を有する空隙を細孔とするとき、
水銀圧入法によって測定された細孔容積から算出された前記細孔の直径が、細孔直径であり、
全ての前記細孔の前記細孔容積を積算した値が、第１積算容積であり、
前記細孔直径が９０ｎｍ以上である前記細孔の前記細孔容積を積算した値が、第３積算容積であり、
前記第１積算容積に対する前記第３積算容積の百分率が、１５％以上３５％以下である
電極触媒層。
【請求項３】
固体高分子形燃料電池において固体高分子電解質膜に接合する電極触媒層であって、
触媒物質と、
前記触媒物質を担持する導電性担体と、
高分子電解質と、
繊維状物質と、を含み、
前記高分子電解質は、フッ素系高分子電解質であり、
前記電極触媒層に含まれる空隙のなかで、３ｎｍ以上５．５μｍ以下の直径を有する空隙を細孔とするとき、
水銀圧入法によって測定された細孔容積から算出された前記細孔の直径が、細孔直径であり、
全ての前記細孔の前記細孔容積を積算した値が、第１積算容積であり、
５０ｎｍ以上８０ｎｍ以下の各細孔直径が第１の細孔直径であり、
３ｎｍから前記第１の細孔直径までの前記細孔の前記細孔容積を積算した値が累積細孔容積であって、前記第１積算容積に対する前記累積細孔容積の百分率が累積細孔容積率であり、
前記第１の細孔直径（μｍ）に対する前記累積細孔容積の分布を示す分布曲線の傾きが、７以上１４以下である
電極触媒層。
【請求項４】
前記電極触媒層の体積に対して、全ての前記細孔の前記細孔容積を積算した積算容積の百分率が、６５％以上９０％以下である
請求項１から３のいずれか一項に記載の電極触媒層。
【請求項５】
前記繊維状物質は、電子伝導性繊維、および、プロトン伝導性繊維から選択される一種または二種以上の繊維状物質を含み、
前記電子伝導性繊維は、カーボンナノファイバー、カーボンナノチューブ、および、遷移金属含有繊維から構成される群から選択される少なくとも一種を含む
請求項１から４のいずれか一項に記載の電極触媒層。
【請求項６】
前記電極触媒層の厚さが、５μｍ以上３０μｍ以下である
請求項１から５のいずれか一項に記載の電極触媒層。
【請求項７】
固体高分子電解質膜と、
前記固体高分子電解質膜において対向する２つの面の少なくとも一方に接合された電極触媒層と、を備え、
前記電極触媒層が、請求項１から６のいずれか一項に記載の電極触媒層である
膜電極接合体。
【請求項８】
請求項７に記載の膜電極接合体を備える固体高分子形燃料電池。
【請求項９】
固体高分子形燃料電池において固体高分子電解質膜に接合する電極触媒層であって、
触媒物質と、
前記触媒物質を担持する導電性担体と、
高分子電解質と、
繊維状物質と、を含み、
前記高分子電解質は、フッ素系高分子電解質であり、
前記電極触媒層に含まれる空隙のなかで、３ｎｍ以上５．５μｍ以下の直径を有する空隙を細孔とするとき、
水銀圧入法によって測定された細孔容積から算出された細孔の直径が細孔直径であり、
前記細孔直径に対する前記細孔容積の分布を示す分布曲線のピークが、前記細孔直径が０．０６μｍ以上０．１μｍ以下である範囲に含まれる
電極触媒層。
【発明の詳細な説明】
【技術分野】
【０００１】
本発明は、電極触媒層、膜電極接合体、および、固体高分子形燃料電池に関する。
【背景技術】
【０００２】
燃料電池は、水素と酸素との化学反応から電流を生成する。燃料電池は、従来の発電方式と比べて高効率、低環境負荷、かつ、低騒音であって、クリーンなエネルギー源として注目されている。特に、室温付近での使用が可能な固体高分子形燃料電池は、車載用電源や家庭用定置電源などへの適用が有望視されている。
【０００３】
固体高分子形燃料電池は、一般的に、多数の単セルが積層された構造を有している。単セルは、膜電極接合体が２つのセパレーターによって挟まれた構造である。膜電極接合体は、高分子電解質膜と、燃料ガスを供給する燃料極（アノード）と、酸化剤を供給する酸素極（カソード）とを備える。高分子電解質膜における第１面に燃料極が接合し、第１面とは反対の第２面に酸素極が接合している。セパレーターは、ガス流路および冷却水流路を有している。燃料極および酸素極は、別々に電極触媒層とガス拡散層とを備えている。各電極において、電極触媒層が高分子電解質膜に接している。電極触媒層は、白金系の貴金属などの触媒物質、導電性担体、および、高分子電解質を含んでいる。ガス拡散層は、ガスの通気性と、導電性とを兼ね備えている。
【０００４】
固体高分子形燃料電池は、以下の電気化学反応を経て電流を生成する。まず、燃料極の電極触媒層において、燃料ガスに含まれる水素が触媒物質により酸化されて、プロトンおよび電子が生成される。生成されたプロトンは、電極触媒層内の高分子電解質、および、高分子電解質膜を通り、酸素極の電極触媒層に達する。プロトンと同時に生成された電子は、電極触媒層内の導電性担体、ガス拡散層、セパレーター、および、外部回路を通って酸素極の電極触媒層に達する。酸素極の電極触媒層において、プロトンおよび電子が酸化剤ガスに含まれる酸素と反応して水を生成する。
【０００５】
ガス拡散層は、セパレーターから供給されるガスを拡散して電極触媒層に供給する。電極触媒層の細孔は、ガスや生成水などの複数の物質を輸送する。燃料極の細孔は、酸化還元の反応場である三相界面に燃料ガスを円滑に供給する機能を求められる。酸素極の細孔は、電極触媒層内に酸化剤ガスを円滑に供給する機能を求められる。燃料ガスおよび酸素ガスを円滑に供給するためには、ひいては、燃料電池の発電性能を高めるためには、電極触媒層が細孔間に間隔を設け、これによって、細孔の緻密な分布を抑制することが求められる。細孔の緻密な分布を抑制する構成として、例えば、カーボン粒子またはカーボン繊維を含む電極触媒層が提案されている（例えば、特許文献１、２を参照）。
【先行技術文献】
【特許文献】
【０００６】
【特許文献１】特開平１０−２４１７０３号公報
【特許文献２】特許第５５３７１７８号公報
【発明の概要】
【発明が解決しようとする課題】
【０００７】
特許文献１では、互いに異なる粒径を有するカーボン粒子を組み合わせることで、電極触媒層中における細孔の分布が密になることを抑えている。また、特許文献２では、互いに異なる長さを有するカーボン繊維を組み合わせることで、電極触媒層中における細孔の分布が密になることを抑えている。一方で、カーボン粒子の組み合わせが互いに等しい層であっても、層の組成や層形成の条件などに応じて、細孔の大きさや細孔の分布は互いに異なる。また、カーボン繊維の組み合わせが互いに等しい層であっても、同様に、細孔の大きさや細孔の分布は互いに異なる。燃料電池における発電性能は、細孔の大きさや細孔の分布によって大きく変わるものであるから、結局のところ、カーボン粒子の組み合わせやカーボン繊維の組み合わせを用いる方法では、発電性能を高める観点において、依然として改良の余地がある。
【０００８】
本発明は、発電性能を高めることを可能にした電極触媒層、膜電極接合体、および、固体高分子形燃料電池を提供することを目的とする。
【課題を解決するための手段】
【０００９】
上記課題を解決するための電極触媒層は、固体高分子形燃料電池において固体高分子電解質膜に接合する電極触媒層であって、触媒物質と、前記触媒物質を担持する導電性担体と、高分子電解質と、繊維状物質と、を含み、前記高分子電解質は、フッ素系高分子電解質であり、前記電極触媒層に含まれる空隙のなかで、３ｎｍ以上５．５μｍ以下の直径を有する空隙を細孔とするとき、水銀圧入法によって測定された細孔容積から算出された細孔の直径が細孔直径であり、前記細孔直径に対する前記細孔容積の分布を示す分布曲線のピークが、前記細孔直径が０．０６μｍ以上０．１μｍ以下である範囲に含まれる。
【００１０】
上記課題を解決するための電極触媒層は、固体高分子形燃料電池において固体高分子電解質膜に接合する電極触媒層であって、触媒物質と、前記触媒物質を担持する導電性担体と、高分子電解質と、繊維状物質と、を含み、前記高分子電解質は、フッ素系高分子電解質であり、前記電極触媒層に含まれる空隙のなかで、３ｎｍ以上５．５μｍ以下の直径を有する空隙を細孔とするとき、水銀圧入法によって測定された細孔容積から算出された前記細孔の直径が、細孔直径であり、全ての前記細孔の前記細孔容積を積算した値が、第１積算容積であり、前記細孔直径が５０ｎｍ以下である前記細孔の前記細孔容積を積算した値が、第２積算容積であり、前記第１積算容積に対する前記第２積算容積の百分率が、３０％以上４０％以下である。
【００１１】
上記課題を解決するための電極触媒層は、固体高分子形燃料電池において固体高分子電解質膜に接合する電極触媒層であって、触媒物質と、前記触媒物質を担持する導電性担体と、高分子電解質と、繊維状物質と、を含み、前記高分子電解質は、フッ素系高分子電解質であり、前記電極触媒層に含まれる空隙のなかで、３ｎｍ以上５．５μｍ以下の直径を有する空隙を細孔とするとき、水銀圧入法によって測定された細孔容積から算出された前記細孔の直径が、細孔直径であり、全ての前記細孔の前記細孔容積を積算した値が、第１積算容積であり、前記細孔直径が９０ｎｍ以上である前記細孔の前記細孔容積を積算した値が、第３積算容積であり、前記第１積算容積に対する前記第３積算容積の百分率が、１５％以上３５％以下である。
【００１２】
上記課題を解決するための電極触媒層は、固体高分子形燃料電池において固体高分子電解質膜に接合する電極触媒層であって、触媒物質と、前記触媒物質を担持する導電性担体と、高分子電解質と、繊維状物質と、を含み、前記高分子電解質は、フッ素系高分子電解質であり、前記電極触媒層に含まれる空隙のなかで、３ｎｍ以上５．５μｍ以下の直径を有する空隙を細孔とするとき、水銀圧入法によって測定された細孔容積から算出された前記細孔の直径が、細孔直径であり、全ての前記細孔の前記細孔容積を積算した値が、第１積算容積であり、５０ｎｍ以上８０ｎｍ以下の各細孔直径が第１の細孔直径であり、３ｎｍから前記第１の細孔直径までの前記細孔の前記細孔容積を積算した値が累積細孔容積であって、前記第１積算容積に対する前記累積細孔容積の百分率が累積細孔容積率であり、前記第１の細孔直径（μｍ）に対する前記累積細孔容積の分布を示す分布曲線の傾きが、７以上１４以下である。
【００１３】
上記電極触媒層は、前記電極触媒層の体積に対して、全ての前記細孔の前記細孔容積を積算した積算容積の百分率が、６５％以上９０％以下であってもよい。
【００１４】
上記電極触媒層は、前記繊維状物質が、電子伝導性繊維、および、プロトン伝導性繊維から選択される一種または二種以上の繊維状物質を含み、前記電子伝導性繊維は、カーボンナノファイバー、カーボンナノチューブ、および、遷移金属含有繊維から構成される群から選択される少なくとも一種を含んでもよい。
【００１５】
上記電極触媒層は、前記電極触媒層の厚さが、５μｍ以上３０μｍ以下であってもよい。
上記課題を解決するための膜電極接合体は、固体高分子電解質膜と、前記固体高分子電解質膜において対向する２つの面の少なくとも一方に接合された上記電極触媒層と、を備える。
【００１６】
上記課題を解決するための固体高分子形燃料電池は、上記膜電極接合体を備える。
【発明の効果】
【００１７】
本発明によれば、発電性能を高めることができる。
【図面の簡単な説明】
【００１８】
【図１】一実施形態における膜電極接合体の構造を示す断面図。
【図２】一実施形態における電極触媒層の構造を模式的に示す模式図。
【図３】一実施形態における固体高分子形燃料電池の構成を示す分解斜視図。
【図４】実施例および比較例における細孔直径の分布曲線。
【図５】実施例および比較例における細孔直径と累積細孔容積率との関係を示すグラフ。
【発明を実施するための形態】
【００１９】
図１から図５を参照して、電極触媒層、膜電極接合体、および、固体高分子形燃料電池の一実施形態を説明する。以下では、膜電極接合体の構成、電極触媒層の構成、固体高分子形燃料電池を構成する単セルの構成、膜電極接合体の製造方法、および、実施例を順に説明する。
【００２０】
［膜電極接合体の構成］
図１を参照して、膜電極接合体の構成を説明する。図１は、膜電極接合体の厚さ方向に沿う断面構造を示している。
図１が示すように、膜電極接合体１０は、高分子電解質膜１１と、カソード側電極触媒層１２Ｃと、アノード側電極触媒層１２Ａとを備えている。高分子電解質膜１１は、固体状の高分子電解質膜である。高分子電解質膜１１において対向する一対の面において、一方の面にカソード側電極触媒層１２Ｃが接合し、他方の面にアノード側電極触媒層１２Ａが接合している。カソード側電極触媒層１２Ｃは酸素極（カソード）を構成する電極触媒層であり、アノード側電極触媒層１２Ａは燃料極（アノード）を構成する電極触媒層である。電極触媒層１２の外周部は、不図示のガスケットなどによって封止されてもよい。
【００２１】
［電極触媒層の構成］
図２を参照して、膜電極接合体１０が備える電極触媒層の構成をより詳しく説明する。なお、以下に説明する電極触媒層は、カソード側電極触媒層１２Ｃおよびアノード側電極触媒層１２Ａの両方に適用される構成であるが、カソード側電極触媒層１２Ｃおよびアノード側電極触媒層１２Ａのいずれか一方のみに、以下の構成が適用されてもよい。
【００２２】
図２が示すように、電極触媒層１２は、触媒物質２１、導電性担体２２、高分子電解質２３、および、繊維状物質２４を含んでいる。電極触媒層１２は、繊維状物質２４を含まなくてもよい。電極触媒層１２の中で触媒物質２１、導電性担体２２、高分子電解質２３、および、繊維状物質２４が存在しない部分が空隙である。本実施形態では、空隙のなかで、３ｎｍ以上５．５μｍ以下の直径を有する空隙を細孔と定義する。
【００２３】
電極触媒層１２において、水銀圧入法によって測定された細孔容積Ｖｐから算出された細孔の直径が細孔直径Ｄである。なお、細孔直径Ｄは、水銀圧入法により得られる円筒モデル化した細孔の直径Ｄと定義される。
【００２４】
ここで、上述した細孔容積Ｖｐの分布について説明する。細孔容積Ｖｐの分布は、細孔直径Ｄ（３ｎｍ≦Ｄ≦５．５μｍ）に対する、細孔容積Ｖｐの分布関数（＝ｄＶｐ/ｄｌｏｇＤ）によって示される。細孔容積Ｖｐの分布は、水銀圧入法によって得られる。
【００２５】
水銀は高い表面張力を有するため、細孔に水銀を侵入させる場合には、所定の圧力Ｐを加える必要がある。細孔に水銀を進入させるために加えた圧力Ｐと、細孔に圧入された水銀量とから、細孔容積Ｖｐの分布や、比表面積を求めることができる。加えられた圧力Ｐと、その圧力Ｐにおいて水銀が侵入可能な細孔直径Ｄとの関係は、Ｗａｓｈｂｕｍの式として知られる式（１）で表すことができる。なお、以下の式（１）において、γは水銀の表面張力であり、θは水銀と細孔壁面の接触角である。本実施形態では、表面張力γを０．４８Ｎ/ｍとし、かつ、接触角θを１３０°として、細孔直径Ｄを計算している。
【００２６】
Ｄ  ＝  −４γｃｏｓθ/Ｐ  …  式（１）
なお、水銀圧入法を用いて実際に測定を行うときには、圧入された水銀の容積を相互に異なる圧力Ｐの印加によって別々に記録する。そして、上記式（１）に基づいて、各圧力Ｐを細孔直径Ｄに換算する。また、圧入された水銀の容積と細孔容積Ｖｐとは等しいとして、細孔直径がＤからＤ＋ｄＤまでに増加したときの細孔容積Ｖｐの増加分である細孔容積増加分ｄＶを細孔直径Ｄに対してプロットする。このプロットのピークが、細孔容積Ｖｐの分布のピークである。
【００２７】
電極触媒層１２において発電性能の向上に要する機能は、例えば、電極触媒層１２内における三相界面の維持、電極触媒層１２におけるガスの拡散、電極触媒層１２における生成水の排出である。そして、三相界面の維持に適した細孔直径Ｄ、ガスの拡散に適した細孔直径Ｄ、生成水の排水に適した細孔直径Ｄは、相互に異なり、発電性能の向上に適した細孔直径Ｄは、これら各細孔直径Ｄを含むことを要する。なお、三相界面とは、高分子電解質、触媒、および、ガスによって形成される界面である。
【００２８】
電極触媒層１２は、上述の観点から、下記条件１から条件４の少なくとも１つを満たす。
［条件１］
条件１では、細孔直径Ｄに対する細孔容積Ｖｐの分布を示す分布曲線のピークは、細孔直径Ｄが０．０６μｍ以上０．１μｍ以下（０．０６μｍ≦Ｄ≦０．１μｍ）である範囲に含まれている。分布曲線のピークは、細孔直径Ｄが０．０７μｍ以上０．１μｍ以下（０．０７μｍ≦Ｄ≦０．１μｍ）である範囲に含まれることが好ましい。分布曲線のピークが、細孔直径Ｄが０．０６μｍ以上０．１μｍ以下である範囲に含まれることによって、電極触媒層１２は、電極触媒層１２が十分なガス拡散性、および、排水性を備えるだけの空隙を含むことができる。
【００２９】
［条件２］
電極触媒層１２では、全ての細孔の細孔容積Ｖｐを積算した値が、第１積算容積である。細孔直径Ｄが５０ｎｍ以下である細孔の細孔容積Ｖｐを積算した値が、第２積算容積である。条件２では、第１積算容積に対する第２積算容積の割合が、３０％以上４０％以下である。
【００３０】
［条件３］
電極触媒層１２では、細孔直径Ｄが９０ｎｍ以上である細孔の細孔容積Ｖｐを積算した値が、第３積算容積である。条件３では、第１積算容積に対する第３積算容積の割合が、１５％以上３５％以下である。
【００３１】
条件２，３を満たす場合のように、電極触媒層１２に含まれる細孔のなかでも、直径が相対的に大きい細孔が上述の割合で含まれることによって、電極触媒層１２内において三相界面を維持しつつ、電極触媒層１２におけるガスの拡散性と、生成水の排出性とを高めることができる。また、電極触媒層１２に含まれる細孔のなかでも、直径が相対的に小さい細孔が上述の割合で含まれることによって、電極触媒層１２内において三相界面を維持しつつ、電極触媒層１２におけるガスの拡散性と、生成水の排出性とを高めることができる。
【００３２】
［条件４］
５０ｎｍ以上８０ｎｍ以下の各細孔直径は、第１の細孔直径である。３ｎｍから第１の細孔直径までの細孔の細孔容積Ｖｐを積算した値は、累積細孔容積である。そして、第１積算容積に対する累積細孔容積の百分率が、累積細孔容積率である。条件４では、電極触媒層１２において、各第１の細孔直径（μｍ）に対する累積細孔容積の分布を示す分布曲線の傾きが７以上１４以下である。条件４を満たす電極触媒層１２では、細孔直径が３ｎｍ以上８０ｎｍ以下の相対的に小さい各直径の細孔が、発電性能の向上に要する各機能に適した割合で分布する。すなわち、電極触媒層１２内において三相界面を維持しつつ、電極触媒層１２におけるガスの拡散性と、生成水の排出性とを高めることができる。
【００３３】
電極触媒層１２は、条件１〜４に加えて、下記条件５を満たすことが好ましい。
［条件５］
条件５において、電極触媒層１２の体積Ｖ０に対して、電極触媒層１２に含まれる全ての細孔の細孔容積を積算した積算容積Ｖの百分率（Ｖ／Ｖ０×１００（％））が、６５％以上９０％以下である。これによって、電極触媒層１２は、より十分なガス拡散性、および、排水性を有することができる。なお、電極触媒層１２の体積Ｖ０は、水銀圧入法による測定に用いた電極触媒層１２の面積と厚さとの積として得ることができる。
【００３４】
なお、電極触媒層１２の厚さは、５μｍ以上３０μｍ以下であることが好ましい。電極触媒層１２の厚さが３０μｍ以下であることによって、クラックが生じることが抑えられる。また、電極触媒層１２を固体高分子形燃料電池に用いた場合に、ガスや生成した水の拡散性、および、導電性が低下することが抑えられ、ひいては、固体高分子形燃料電池の出力が低下することが抑えられる。また、電極触媒層１２の厚さが５μｍ以上であることによって、電極触媒層１２において厚さのばらつきが生じにくくなり、電極触媒層１２に含まれる触媒物質２１や高分子電解質２３の分布が不均一になることが抑えられる。なお、電極触媒層１２の表面におけるひび割れや、厚さの不均一性は、電極触媒層１２を固体高分子形燃料電池の一部として使用し、かつ、固体高分子形燃料電池を長期に渡り運転した場合に、固体高分子形燃料電池の耐久性に悪影響を及ぼす可能性が高い点で、好ましくない。
【００３５】
電極触媒層１２の厚さは、例えば、走査型電子顕微鏡（ＳＥＭ）を用いて電極触媒層１２の断面を観察することで計測することができる。電極触媒層１２の断面を露出させる方法には、例えば、イオンミリング、および、ウルトラミクロトームなどの方法を用いることができる。電極触媒層１２の断面を露出させる加工を行うときには、電極触媒層１２を冷却することが好ましい。これにより、電極触媒層１２が含む高分子電解質２３に対するダメージを軽減することができる。
【００３６】
［固体高分子形燃料電池の構成］
図３を参照して、膜電極接合体１０を備える固体高分子形燃料電池の構成を説明する。以下に説明する構成は、固体高分子形燃料電池の一例における構成である。また、図３は、固体高分子形燃料電池が備える単セルの構成を示している。固体高分子形燃料電池は、複数の単セルを備え、かつ、複数の単セルが積層された構成でもよい。
【００３７】
図３が示すように、固体高分子形燃料電池３０は、膜電極接合体１０、一対のガス拡散層、および、一対のセパレーターを備えている。一対のガス拡散層は、カソード側ガス拡散層３１Ｃとアノード側ガス拡散層３１Ａとから構成されている。一対のセパレーターは、カソード側セパレーター３２Ｃとアノード側セパレーター３２Ａとから構成されている。
【００３８】
カソード側ガス拡散層３１Ｃは、カソード側電極触媒層１２Ｃに接している。カソード側電極触媒層１２Ｃとカソード側ガス拡散層３１Ｃとが、酸素極（カソード）３０Ｃを構成している。アノード側ガス拡散層３１Ａは、アノード側電極触媒層１２Ａに接している。アノード側電極触媒層１２Ａとアノード側ガス拡散層３１Ａとが、燃料極（アノード）３０Ａを構成している。
【００３９】
高分子電解質膜１１において、カソード側電極触媒層１２Ｃが接合された面がカソード面であり、アノード側電極触媒層１２Ａが接合された面がアノード面である。カソード面のなかで、カソード側電極触媒層１２Ｃによって覆われていない部分が外周部である。外周部には、カソード側ガスケット１３Ｃが位置している。アノード面のなかで、アノード側電極触媒層１２Ａによって覆われていない部分が外周部である。外周部には、アノード側ガスケット１３Ａが位置している。ガスケット１３Ｃ，１３Ａによって、各面の外周部からガスが漏れることが抑えられる。
【００４０】
カソード側セパレーター３２Ｃとアノード側セパレーター３２Ａとは、固体高分子形燃料電池３０の厚さ方向において、膜電極接合体１０、および、２つのガス拡散層３１Ｃ，３１Ａから構成される多層体を挟んでいる。カソード側セパレーター３２Ｃは、カソード側ガス拡散層３１Ｃに対向している。アノード側セパレーター３２Ａは、アノード側ガス拡散層３１Ａに対向している。
【００４１】
カソード側セパレーター３２Ｃにおいて対向する一対の面は、それぞれ複数の溝を有している。一対の面のなかで、カソード側ガス拡散層３１Ｃと対向する対向面が有する溝は、ガス流路３２Ｃｇである。一対の面のなかで、対向面とは反対側の面が有する溝は、冷却水流路３２Ｃｗである。
【００４２】
アノード側セパレーター３２Ａにおいて対向する一対の面は、それぞれ複数の溝を有している。一対の面のなかで、アノード側ガス拡散層３１Ａと対向する対向面が有する溝は、ガス流路３２Ａｇである。一対の面のなかで、対向面とは反対側の面が有する溝は、冷却水流路３２Ａｗである。
【００４３】
各セパレーター３２Ｃ，３２Ａは、導電性を有し、かつ、ガスに対する不透過性を有した材料によって形成されている。
固体高分子形燃料電池３０では、カソード側セパレーター３２Ｃのガス流路３２Ｃｇを通じて酸素剤が酸素極３０Ｃに供給される。また、固体高分子形燃料電池３０では、アノード側セパレーター３２Ａのガス流路３２Ａｇを通じて燃料が供給される。これにより、固体高分子形燃料電池３０が発電を行う。なお、酸素剤には、例えば空気および酸素などを挙げることができる。燃料には、例えば水素を含む燃料ガス、および、有機物燃料などを挙げることができる。
【００４４】
［膜電極接合体の製造方法］
以下、上述した膜電極接合体の製造方法を説明する。
膜電極接合体１０を製造するときには、まず、触媒物質２１、導電性担体２２、高分子電解質２３、および、繊維状物質２４を分散媒に混合し、その後、混合物に分散処理を施すことによって触媒インクを作成する。なお、繊維状物質２４は、触媒インクを構成する物質から省略されてもよい。分散処理は、例えば、遊星型ボールミル、ビーズミル、および、超音波ホモジナイザーなどを用いて行うことができる。
【００４５】
触媒インクの分散媒には、触媒物質２１、導電性担体２２、高分子電解質２３、および、繊維状物質２４を浸食せず、かつ、分散媒の流動性が高い状態で、高分子電解質２３を溶解することができる、または、高分子電解質２３を微細なゲルとして分散することが可能な溶媒を用いることができる。分散媒には水が含まれてもよく、水は高分子電解質２３とのなじみがよい。触媒インクは、揮発性の液体有機溶媒を含むことが好ましい。溶媒が低級アルコールである場合には発火のおそれがあるため、こうした溶媒には、水が混合されることが好ましい。溶媒には、高分子電解質２３が分離することによって、触媒インキが白濁したりゲル化したりしない範囲で水を混合することができる。
【００４６】
作成した触媒インクを基材に塗布した後に乾燥することによって、触媒インクの塗膜から溶媒が除去される。これにより、基材上に電極触媒層１２が形成される。基材には、高分子電解質膜１１、または、転写用基材を用いることができる。高分子電解質膜１１を基材として用いる場合には、例えば、高分子電解質膜１１の表面に触媒インクを直に塗布した後、触媒インクの塗膜から溶媒を除去することによって電極触媒層１２を形成する方法を用いることができる。
【００４７】
転写用基材を用いる場合には、転写用基材の上に触媒インキを塗布した後に乾燥することによって、触媒層付き基材を作成する。その後、例えば、触媒層付き基材における電極触媒層１２の表面と、高分子電解質膜１１とを接触させた状態で、加熱および加圧を行うことによって、電極触媒層１２と高分子電解質膜１１とを接合させる。高分子電解質膜１１の両面に電極触媒層１２を接合することによって、膜電極接合体１０を製造することができる。
【００４８】
触媒インクを基材に塗布する方法には、様々な塗工方法を用いることができる。塗工方法には、例えば、ダイコート、ロールコート、カーテンコート、スプレーコート、および、スキージーなどを挙げることができる。塗工方法には、ダイコートを用いることが好ましい。ダイコートは、塗布期間の中間における膜厚が安定し、かつ、間欠的な塗工を行うことが可能である点で好ましい。触媒インクの塗膜を乾燥させる方法には、例えば、温風オーブンを用いた乾燥、ＩＲ（遠赤外線）乾燥、ホットプレートを用いた乾燥、および、減圧乾燥などを用いることができる。乾燥温度は、４０℃以上２００℃以下であり、４０℃以上１２０℃以下程度であることが好ましい。乾燥時間は、０．５分以上１時間以下であり、１分以上３０分以下程度であることが好ましい。
【００４９】
転写用基材に電極触媒層１２を形成する場合には、電極触媒層１２の転写時に電極触媒層１２に掛かる圧力や温度が膜電極接合体１０の発電性能に影響する。発電性能が高い膜電極接合体を得る上では、多層体に掛かる圧力は、０．１ＭＰａ以上２０ＭＰａ以下であることが好ましい。圧力が２０ＭＰａ以下であることによって、電極触媒層１２が過剰に圧縮されることが抑えられる。圧力が０．１ＭＰ以上であることによって、電極触媒層１２と高分子電解質膜１１との接合性の低下により発電性能が低下することが抑えられる。接合時の温度は、高分子電解質膜１１と電極触媒層１２との界面の接合性の向上や、界面抵抗の抑制を考慮すると、高分子電解質膜１１、または、電極触媒層１２が含む高分子電解質２３のガラス転移点付近であることが好ましい。
【００５０】
転写用基材には、例えば、高分子フィルム、および、フッ素系樹脂によって形成されたシート体を用いることができる。フッ素系樹脂は、転写性に優れている。フッ素系樹脂には、例えば、エチレンテトラフルオロエチレン共重合体（ＥＴＦＥ）、テトラフルオロエチレン‐ヘキサフルオロプロピレン共重合体（ＦＥＰ）、テトラフルオロパーフルオロアルキルビニルエーテル共重合体（ＰＦＡ）、および、ポリテトラフルオロエチレン（ＰＴＦＥ）などを挙げることができる。高分子フィルムを形成する高分子には、例えば、ポリイミド、ポリエチレンテレフタラート、ポリアミド（ナイロン（登録商標））、ポリサルホン、ポリエーテルサルホン、ポリフェニレンサルファイド、ポリエーテル・エーテルケトン、ポリエーテルイミド、ポリアリレート、および、ポリエチレンナフタレートなどを挙げることができる。転写用基材には、ガス拡散層を用いることもできる。
【００５１】
電極触媒層１２の細孔の大きさおよび分布は、触媒インクの塗膜を加熱する温度、塗膜を加熱する速度、触媒インクが乾燥するまでの加圧条件、繊維状物質２４の配合率、触媒インクの溶媒組成、触媒インクを調整するときの分散強度などを調整することによって調整することが可能である。例えば、繊維状物質２４の配合率を高めるほど、分布曲線のピークに対応する細孔直径Ｄは大きくなり、第１積算容積に対する第２積算容積の割合は少なくなり、第１積算容積に対する第３積算容積の割合は多くなる。
【００５２】
触媒物質２１には、例えば、白金族に含まれる金属、白金族以外の金属、および、これら金属の合金、酸化物、複酸化物、および、炭化物などを用いることができる。白金族に含まれる金属は、白金、パラジウム、ルテニウム、イリジウム、ロジウム、および、オスミウムである。白金族以外の金属には、鉄、鉛、銅、クロム、コバルト、ニッケル、マンガン、バナジウム、モリブデン、ガリウム、および、アルミニウムなどを用いることができる。
【００５３】
導電性担体２２には、導電性を有し、かつ、触媒物質２１に侵食されることなく触媒物質２１を担持することが可能な担体を用いることができる。導電性担体２２には、カーボン粒子を用いることができる。カーボン粒子には、例えば、カーボンブラック、グラファイト、黒鉛、活性炭、カーボンナノチューブ、カーボンナノファイバー、および、フラーレンを用いることができる。カーボン粒子の粒径は、１０ｎｍ以上１０００ｎｍ以下程度であることが好ましく、１０ｎｍ以上１００ｎｍ以下程度であることがさらに好ましい。粒径が１０ｎｍ以上であることによって、カーボン粒子が電極触媒層１２において密に詰まり過ぎず、これによって、電極触媒層１２のガス拡散性を低下させることが抑えられる。粒径が１０００ｎｍ以下であることによって、電極触媒層１２にクラックを生じさせることが抑えられる。
【００５４】
高分子電解質膜１１および電極触媒層１２に含まれる高分子電解質には、プロトン伝導性を有する電解質を用いることができる。高分子電解質には、例えば、フッ素系高分子電解質、および、炭化水素系高分子電解質を用いることができる。フッ素系高分子電解質には、テトラフルオロエチレン骨格を有する高分子電解質を用いることができる。なお、テトラフルオロエチレン骨格を有する高分子電解質には、デュポン社製のＮａｆｉｏｎ（登録商標）を例示することができる。炭化水素系高分子電解質には、例えば、スルホン化ポリエーテルケトン、スルホン化ポリエーテルスルホン、スルホン化ポリエーテルエーテルスルホン、スルホン化ポリスルフィド、および、スルホン化ポリフェニレンなどを用いることができる。
【００５５】
高分子電解質膜１１に含まれる高分子電解質と、電極触媒層１２に含まれる高分子電解質２３とは、互いに同じ電解質であってもよいし、互いに異なる電解質であってもよい。ただし、高分子電解質膜１１と電極触媒層１２との界面における界面抵抗や、湿度が変化した場合において、高分子電解質膜１１と電極触媒層１２とにおける寸法変化率を考慮すると、高分子電解質膜１１に含まれる高分子電解質と、電極触媒層１２に含まれる高分子電解質２３とは、互いに同じ電解質であるか、類似の電解質であることが好ましい。
【００５６】
繊維状物質２４には、電子伝導性繊維およびプロトン伝導性繊維を用いることができる。電子伝導性繊維には、カーボンファイバー、カーボンナノチューブ、カーボンナノホーン、および、導電性高分子ナノファイバーなどを挙げることができる。導電性や分散性の観点から、カーボンナノファイバーを繊維状物質２４として用いることが好ましい。
【００５７】
触媒能を有する電子伝導性繊維は、貴金属によって形成される触媒の使用量を低減できる点でより好ましい。電極触媒層１２が酸素極を構成する電極触媒層１２として用いられる場合には、触媒能を有する電子伝導性繊維には、カーボンナノファイバーから作製したカーボンアロイ触媒を挙げることができる。触媒能を有する電子伝導性繊維は、燃料極用の電極活物質を繊維状に加工した繊維であってもよい。電極活物質には、Ｔａ、Ｎｂ、Ｔｉ、および、Ｚｒから構成される群から選択される少なくとも一つの遷移金属元素を含む物質を用いることができる。遷移金属元素を含む物質には、遷移金属元素の炭窒化物の部分酸化物、または、遷移金属元素の導電性酸化物、および、遷移金属元素の導電性酸窒化物を挙げることができる。
【００５８】
プロトン伝導性繊維は、プロトン伝導性を有する高分子電解質を繊維状に加工した繊維であればよい。プロトン伝導性繊維を形成するための材料には、フッ素系高分子電解質、および、炭化水素系高分子電解質などを用いることができる。フッ素系高分子電解質には、例えば、デュポン社製のＮａｆｉｏｎ（登録商標）、旭硝子（株）製のＦｌｅｍｉｏｎ（登録商標）、旭化成（株）製のＡｃｉｐｌｅｘ（登録商標）、および、ゴア社製のＧｏｒｅ  Ｓｅｌｅｃｔ（登録商標）などを用いることができる。炭化水素系高分子電解質には、スルホン化ポリエーテルケトン、スルホン化ポリエーテルスルホン、スルホン化ポリエーテルエーテルスルホン、スルホン化ポリスルフィド、および、スルホン化ポリフェニレンなどの電解質を用いることができる。
【００５９】
繊維状物質２４には、上述した繊維のうちの一種のみが用いられてもよいし、二種以上が用いられてもよい。繊維状物質２４として、電子伝導性繊維とプロトン伝導性繊維とを併せて用いてもよい。繊維状物質２４は、上述した繊維状物質２４のなかでも、カーボンナノファイバー、カーボンナノチューブ、および、電解質繊維から構成される群から選択される少なくとも１つを含むことが好ましい。
【００６０】
繊維状物質２４の繊維径は、０．５ｎｍ以上５００ｎｍ以下であることが好ましく、５ｎｍ以上２００ｎｍ以下であることがより好ましい。繊維径を０．５ｎｍ以上５００ｎｍ以下の範囲に設定することにより、電極触媒層１２内の空隙を増加させることができ、ひいては、固体高分子形燃料電池３０の高出力化が可能である。繊維状物質２４の繊維長は、１μｍ以上４０μｍ以下であることが好ましく、１μｍ以上２０μｍ以下であることがより好ましい。繊維長を１μｍ以上４０μｍ以下の範囲に設定することにより、電極触媒層１２の強度を高めることができ、ひいては、電極触媒層１２を形成するときに、電極触媒層１２にクラックが生じることが抑えられる。加えて、電極触媒層１２内の空隙を増加させることができ、ひいては、固体高分子形燃料電池３０の高出力化が可能である。
【００６１】
［実施例］
図４および図５を参照して、膜電極接合体の実施例を説明する。
［実施例１］
白金担持カーボン触媒（ＴＥＣ１０Ｅ５０Ｅ、田中貴金属工業（株）製）、水、１‐プロパノール、高分子電解質（ナフィオン（登録商標）分散液、和光純薬工業（株）製）、および、カーボンナノファイバー（ＶＧＣＦ（登録商標）−Ｈ、昭和電工（株）製）を混合した。混合物に対して遊星型ボールミルを用いて６０分間にわたって分散処理を行った。これにより、触媒インクを調製した。
【００６２】
触媒インクを、高分子電解質膜（ナフィオン（登録商標）２１１、Ｄｕｐｏｎｔ社製）の両面にスリットダイコーターを用いて塗布することによって塗膜を形成した。次いで、塗膜が形成された高分子電解質膜を８０度の温風オーブンに配置し、塗膜のタックがなくなるまで塗膜を乾燥させた。これにより、実施例１の膜電極接合体を得た。
【００６３】
［実施例２］
触媒インクを調製するときに、固形分比率を実施例１の３分の２とした以外は、実施例１と同様の方法によって、実施例３の膜電極接合体を得た。
【００６４】
［実施例３］
実施例１と同様の方法によって、触媒インクを調製した。触媒インクを、ＰＴＦＥフィルムの表面にスリットダイコーターを用いて塗布することによって塗膜を形成した。次いで、８０度の温風オーブンに配置し、塗膜のタックがなくなるまで塗膜を乾燥させた。これにより、触媒層付き基材を得た。カソード側電極触媒層を含む基材と、アノード側電極触媒層を含む基材とを準備した。そして、高分子電解質膜（ナフィオン（登録商標）２１１、Ｄｕｐｏｎｔ社製）における一対の面に対し、触媒層付き基材が１つずつ各面に対向するように配置し、積層体を形成した。１２０℃、５ＭＰａの条件で積層体をホットプレスすることによって、高分子電解質膜に２つの電極触媒層を接合した。次いで、各電極触媒層からＰＴＦＥフィルムを剥離することによって、実施例５の膜電極接合体を得た。
【００６５】
［比較例１］
カソード側電極触媒層を形成するときに、触媒インクの塗布量を実施例１の３倍とした以外は、実施例１と同様の方法によって、比較例１の膜電極接合体を得た。
【００６６】
［比較例２］
触媒インクを調製するときに、固形分比率を実施例１の３分の１とした以外は、実施例１と同様の方法によって、比較例２の膜電極接合体を得た。
【００６７】
［比較例３］
触媒インクを調製するときに、カーボンナノファイバーを添加しなかった以外は、実施例１と同様の方法によって、比較例３の膜電極接合体を得た。
【００６８】
［比較例４］
触媒インクを調製するときに、カーボンナノファイバーの量を実施例１の３倍とした以外は、実施例１と同様の方法によって、比較例４の膜電極接合体を得た。
【００６９】
［比較例５］
触媒インクを調製するときに、カーボンナノファイバーの量を実施例１の３分の１とした以外は、実施例１と同様の方法によって、比較例５の膜電極接合体を得た。
【００７０】
［細孔容積Ｖｐに基づく数値の算出］
細孔容積Ｖｐの分布は、水銀圧入法により測定した。具体的には、高分子電解質膜における一方の面のみに電極触媒層が形成された膜電極接合体を用いて、自動ポロシメーター（マイクロメリティックス社製、オートポアＩＶ９５１０）を用いて、細孔容積Ｖｐを測定した。測定セルの容積は約５ｃｍ３であり、水銀圧入の圧力を３ｋＰａから４００ＭＰａまで昇圧した。これにより、各圧力における水銀の圧入量、つまり細孔容積Ｖｐを得た。水銀圧入の圧力をＷａｓｈｂｕｍの式を用いて細孔直径Ｄに換算し、細孔直径Ｄに対する細孔容積Ｖｐの分布関数ｄＶｐ/ｄｌｏｇＤのプロットを作成した。なお、表面張力γを０．４８Ｎ/ｍとし、かつ、接触角θを１３０°とした。そして、このプロットのピークに対応する細孔直径Ｄを細孔直径Ｄｐとして読み取った。
【００７１】
次に、細孔直径Ｄが３ｎｍ以上５μｍ以下である全ての細孔の容積を積算して第１積算容積を算出した。また、細孔直径Ｄが９０ｎｍ以上である細孔の容積を積算して第３積算容積を算出した。そして、第３積算容積を第１積算容積で除算し、かつ、除算した値を１００倍することによって、第１積算容積に対する第３積算容積の百分率Ｒ（Ｌ）を算出した。また、細孔直径Ｄが５０ｎｍ以下である細孔の細孔容積を積算して第２積算容積を算出した。そして、第２積算容積を第１積算容積で除算し、かつ、除算した値を１００倍することによって、第１積算容積に対する第２積算容積の百分率Ｒ（Ｓ）を算出した。さらに、細孔容積Ｖの測定に用いた電極触媒層の面積と厚さとを乗算して、電極触媒層の体積Ｖ０を算出した。そして、電極触媒層の体積Ｖ０に対する第１積算容積Ｖの百分率Ｖ/Ｖ０を算出した。
【００７２】
［電極触媒層の厚さ計測］
走査型電子顕微鏡（ＳＥＭ）を用いて電極触媒層の断面を観察することによって、電極触媒層の厚さを計測した。具体的には、電極触媒層の断面を、走査型電子顕微鏡（日立ハイテクノロジー社製、ＦＥ-ＳＥＭ  Ｓ-４８００）を用いて、１０００倍の倍率で観察した。電極触媒層の断面における３０カ所の観察点において電極触媒層の厚さを計測した。３０カ所の観察点における厚さの平均値を電極触媒層の厚さとした。
【００７３】
［発電性能の測定］
発電性能の測定には、新エネルギー・産業技術総合開発機構（ＮＥＤＯ）が刊行した小冊子である「セル評価解析プロトコル」に準拠する方法を用いた。膜電極接合体の各面に、ガス拡散層、ガスケット、および、セパレーターを配置し、所定の面圧となるように締め付けたＪＡＲＩ標準セルを評価用単セルとして用いた。そして、「セル評価解析プロトコル」に記載された方法に準拠してＩ‐Ｖ測定を実施した。このときの条件を標準条件に設定した。また、アノードの相対湿度とカソードの相対湿度とをＲＨ１００％としてＩ‐Ｖ測定を実施した。このときの条件を高湿条件に設定した。
【００７４】
［耐久性の測定］
耐久性の測定には、発電性能の測定に用いた評価用単セルと同一の単セルを評価用単セルとして用いた。そして、上述した「セル評価解析プロトコル」に記載の湿度サイクル試験によって耐久性を測定した。
【００７５】
［比較結果］
実施例１から実施例３の膜電極接合体が備える電極触媒層、および、比較例１から比較例５の膜電極接合体が備える電極触媒層の各々について、以下の項目における結果は、表１に示す通りであった。すなわち、各電極触媒層において、細孔容積Ｖｐの分布曲線におけるピークでの細孔直径Ｄｐ、第１積算容積に対する第３積算容積の百分率Ｒ（Ｌ）（％）、および、第１積算容積に対する第２積算容積の百分率Ｒ（Ｓ）（％）は、表１に示す通りであった。また、各電極触媒層において、電極触媒層の体積Ｖ０に対する第１積算容積Ｖの百分率Ｖ／Ｖ０（％）、および、電極触媒層の厚さＴ（μｍ）は、表１に示す通りであった。また、実施例１から実施例３の膜電極接合体を備える固体高分子形燃料電池、および、比較例１から比較例５の膜電極接合体を備える固体高分子形燃料電池の各々について、発電性能、および、耐久性を測定した結果は、表１に示す通りであった。
【００７６】
発電性能において、標準条件では、単セルにおいて、電圧が０．６Ｖのときの電流が２５Ａ以上である場合を「○」に設定し、２５Ａ未満である場合を「×」に設定した。また、高湿条件では、単セルにおいて、電圧が０．６Ｖのときの電流が３０Ａ以上である場合を「○」に設定し、３０Ａ未満である場合を「×」に設定した。耐久性において、８０００サイクル後の水素クロスリーク電流が初期値の１０倍未満である場合を「○」に設定し、１０倍以上である場合を「×」に設定した。
【００７７】
実施例１から実施例３の電極触媒層、および、比較例１から比較例５の電極触媒層の各々において、細孔容積Ｖｐの分布曲線は、図４に示す通りであった。また、実施例１から実施例３の電極触媒層、および、比較例１から比較例５の電極触媒層の各々において、累積細孔容積率と、細孔直径Ｄとの関係を示すグラフは、図５に示す通りであった。
【００７８】
【表１】
2019186191.tif 000003
【００７９】
表１が示すように、実施例１から実施例３のいずれにおいても、細孔容積Ｖｐの分布曲線におけるピークが、細孔直径Ｄｐが０．０６μｍ以上０．１μｍ以下である範囲に含まれることが認められた。実施例１から実施例３のいずれにおいても、第１積算容積に対する第３積算容積の百分率Ｒ（Ｌ）が、１５％以上３５％以下の範囲に含まれることが認められ、また、第１積算容積に対する第２積算容積の百分率Ｒ（Ｓ）が、３０％以上４０％以下の範囲に含まれることが認められた。
【００８０】
実施例１から実施例３のいずれにおいても、電極触媒層の体積に対する細孔容積の積算値の百分率が、６５％以上９０％以下であることが認められた。実施例１から実施例３のいずれにおいても、第１の細孔直径（μｍ）に対する累積細孔容積の分布を示す分布曲線の傾きが、７以上１４以下であることが認められた。
【００８１】
実施例１から実施例３のいずれにおいても、電極触媒層の厚さが、５μｍ以上３０μｍ以下の範囲に含まれることが認められた。さらに、実施例１から実施例３のいずれにおいても、測定時の条件に関わらず発電性能が「○」であり、かつ、耐久性が「○」であることが認められた。すなわち、実施例１から実施例３の膜電極接合体は、発電性能および耐久性に優れた燃料電池を構成することが可能な膜電極接合体であることが認められた。
【００８２】
一方で、比較例１から比較例５のいずれにおいても、細孔容積Ｖｐの分布曲線におけるピークが、細孔直径Ｄｐが０．０６μｍ以上０．１μｍ以下である範囲には含まれないことが認められた。比較例１から比較例５のいずれにおいても、第１積算容積に対する第３積算容積の百分率Ｒ（Ｌ）が、１５％以上３５％以下の範囲に含まれないことが認められた。比較例１から比較例５のいずれにおいても、第１積算容積に対する第２積算容積の百分率Ｒ（Ｓ）が、３０％以上４０％以下の範囲に含まれないことが認められた。
【００８３】
比較例３，５では、電極触媒層の体積に対する細孔容積の積算値の百分率が、６５％以上９０％以下に含まれる一方で、比較例１，２，４では、電極触媒層の体積に対する細孔容積の百分率が、６０％であることが認められた。比較例１では、電極触媒層の厚さが３０μｍを超えることが認められた一方で、比較例２から比較例５では、電極触媒層の厚さが、５μｍ以上３０μｍ以下の範囲に含まれることが認められた。
【００８４】
比較例１から比較例５において、標準条件および高湿条件のいずれかにおいて、発電性能が「×」であることが認められた。また、比較例２，３，５については、耐久性も「×」であることが認められた。このように、比較例１から比較例５によれば、上述した各実施例に比べて、少なくとも発電性能が低下し、耐久性が低下する場合もあることが認められた。
【００８５】
以上説明したように、電極触媒層、膜電極接合体、および、燃料電池の一実施形態によれば、以下に列挙する効果を得ることができる。
（１）細孔直径Ｄに対する細孔容積Ｖｐの分布を示す分布曲線のピークにおいて細孔直径Ｄが０．０６μｍ以上０．１μｍ以下である場合には、電極触媒層１２が十分なガス拡散性、および、排水性を備えるだけの空隙が含まれて、発電性能が向上可能である。
【００８６】
（２）第１積算容積に対する第２積算容積の割合が、３０％以上４０％以下である場合には、電極触媒層１２において三相界面を維持しつつ、ガスの拡散性と、生成水の排出性とを高めることが可能であって、それによって、発電性能が向上可能である。
【００８７】
（３）第１積算容積に対する第３積算容積の割合が、１５％以上３５％以下である場合には、三相界面を維持しつつ、ガスの拡散性と、生成水の排出性とを高めることが可能であって、それによって、発電性能が向上可能である。
【００８８】
（４）各第１の細孔直径（μｍ）に対する累積細孔容積の分布を示す分布曲線の傾きが７以上１４以下である場合には、三相界面を維持しつつ、ガスの拡散性と、生成水の排出性とを高めることが可能であって、それによって、発電性能が向上可能である。
【符号の説明】
【００８９】
１０…膜電極接合体、１１…高分子電解質膜、１２…電極触媒層、１２Ａ…アノード側電極触媒層、１２Ｃ…カソード側電極触媒層、１３Ａ…アノード側ガスケット、１３Ｃ…カソード側ガスケット、２１…触媒物質、２２…導電性担体、２３…高分子電解質、２４…繊維状物質、３０…固体高分子形燃料電池、３０Ａ…燃料極、３０Ｃ…酸素極、３１Ａ…アノード側ガス拡散層、３１Ｃ…カソード側ガス拡散層、３２Ａ…アノード側セパレーター、３２Ａｇ，３２Ｃｇ…ガス流路、３２Ａｗ，３２Ｃｗ…冷却水流路、３２Ｃ…カソード側セパレーター。
【図１】
2019186191.tif 000004
【図２】
2019186191.tif 000005
【図３】
2019186191.tif 000006
【図４】
2019186191.tif 000007
【図５】
2019186191.tif 000008
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
固体高分子形燃料電池において固体高分子電解質膜に接合する電極触媒層であって、
触媒物質と、
前記触媒物質を担持する導電性担体と、
高分子電解質と、
繊維状物質と、を含み、
前記高分子電解質は、フッ素系高分子電解質であり、
前記電極触媒層に含まれる空隙のなかで、３ｎｍ以上５．５μｍ以下の直径を有する空隙を細孔とするとき、
水銀圧入法によって測定された細孔容積から算出された前記細孔の直径が、細孔直径であり、
全ての前記細孔の前記細孔容積を積算した値が、第１積算容積であり、
前記細孔直径が５０ｎｍ以下である前記細孔の前記細孔容積を積算した値が、第２積算容積であり、
前記第１積算容積に対する前記第２積算容積の百分率が、３０％以上４０％以下である
電極触媒層。
【請求項２】
前記細孔直径が９０ｎｍ以上である前記細孔の前記細孔容積を積算した値が、第３積算容積であり、
前記第１積算容積に対する前記第３積算容積の百分率が、１５％以上３５％以下である
請求項１に記載の電極触媒層。
【請求項３】
５０ｎｍ以上８０ｎｍ以下の各細孔直径が第１の細孔直径であり、
３ｎｍから前記第１の細孔直径までの前記細孔の前記細孔容積を積算した値が累積細孔容積であって、前記第１積算容積に対する前記累積細孔容積の百分率が累積細孔容積率であり、
前記第１の細孔直径（μｍ）に対する前記累積細孔容積の分布を示す分布曲線の傾きが、７以上１４以下である
請求項１または２に記載の電極触媒層。
【請求項４】
前記電極触媒層の体積に対して、全ての前記細孔の前記細孔容積を積算した積算容積の百分率が、６５％以上９０％以下である
請求項１から３のいずれか一項に記載の電極触媒層。
【請求項５】
前記繊維状物質は、電子伝導性繊維、および、プロトン伝導性繊維から選択される一種または二種以上の繊維状物質を含み、
前記電子伝導性繊維は、カーボンナノファイバー、カーボンナノチューブ、および、遷移金属含有繊維から構成される群から選択される少なくとも一種を含む
請求項１から４のいずれか一項に記載の電極触媒層。
【請求項６】
前記電極触媒層の厚さが、５μｍ以上３０μｍ以下である
請求項１から５のいずれか一項に記載の電極触媒層。
【請求項７】
前記細孔直径に対する前記細孔容積の分布を示す分布曲線のピークが、前記細孔直径が０．０６μｍ以上０．１μｍ以下である範囲に含まれる
請求項１から６のいずれか一項に記載の電極触媒層。
【請求項８】
固体高分子電解質膜と、
前記固体高分子電解質膜において対向する２つの面の少なくとも一方に接合された電極触媒層と、を備え、
前記電極触媒層が、請求項１から７のいずれか一項に記載の電極触媒層である
膜電極接合体。
【請求項９】
請求項８に記載の膜電極接合体を備える固体高分子形燃料電池。